【事件の表示】
　特願２０１１−２４４６３３「送信装置、表示制御装置、コンテンツ送信方法、記録媒体、及びプログラム」拒絶査定不服審判事件〔平成２５年　５月２３日出願公開、特開２０１３−１０２３４５、請求項の数（１８）〕について、次のとおり審決する。
【結　論】
　原査定を取り消す。
　本願の発明は、特許すべきものとする。
【理　由】
第１　手続の経緯
　本件出願は、平成２３年１１月８日の出願であって、手続の概要は以下のとおりである。
拒絶理由通知　　　　　平成２７年１０月１４日（起案日）
手続補正　　　　　　　平成２７年１２月１４日
拒絶査定　　　　　　　平成２８年　５月２５日（起案日）
審判請求　　　　　　　平成２８年　８月２５日
手続補正　　　　　　　平成２８年　８月２５日
第２　拒絶査定の概要
　平成２８年５月２５日付け拒絶査定の概要は次のとおりである。
　本願の請求項１〜１９に係る発明は、引用文献１、２に記載された発明に基いて、その出願前にその発明の属する技術の分野における通常の知識を有する者（以下、「当業者」という。）が容易に発明をすることができたものであるから、特許法第２９条第２項の規定により特許を受けることができない。
引用文献１：特開２００９−２８４５５１号公報
引用文献２：特開２００３−２２３４１５号公報
　なお、拒絶査定には、請求項１〜９、１７、１８、１９に係る発明の「前記注視点の位置に表示されている前記オブジェクトの有する情報に関連付けて生成する」なる記載、請求項１０〜１６に係る発明の「前記コンテンツ内において前記オブジェクトの有する情報に関連付けられた注視点の位置を示す注視点情報」なる記載は、不明確であり、本願は、特許法第３６条第６項第２号に規定する要件を満たしていない旨の付記が記載されている。
第３　審判請求時の補正について
　審判請求時の補正は、新規事項を追加する補正でなく、発明の特別な技術的特徴を変更する補正でもない。
　また、審判請求時の補正は、拒絶査定時に付記として記載した、特許法第３６条第６項第２号に規定する要件を満たしていないと判断した構成要件についての明瞭でない記載の釈明を目的とした補正である。
　したがって、審判請求時の補正は、特許法第１７条の２第３項から第５項までの要件に違反しているものとはいえない。
第４　本願発明
　本願請求項１〜１８に係る発明（以下、それぞれ「本願発明１」〜「本願発明１８」という。）は、平成２８年８月２５日付けの手続補正で補正された特許請求の範囲の請求項１〜１８に記載された事項により特定される発明であり、以下のとおりの発明である。
「【請求項１】
　複数のオブジェクトを含むコンテンツ内における注視点の位置を示す注視点情報を、前記注視点の位置に表示されているオブジェクトを特定する情報と、当該オブジェクト内における前記注視点の相対位置の情報とを含めて生成する注視点情報生成部と、
　前記注視点情報と、前記コンテンツ又は前記コンテンツを取得するための情報と、を送信する送信部と、
を備える、送信装置。
　【請求項２】
　生成された前記注視点情報に対する更新情報を生成する更新情報生成部、
をさらに備え、
　前記送信部は、前記更新情報をさらに送信する、
請求項１に記載の送信装置。
　【請求項３】
　前記更新情報生成部は、表示される前記注視点を擦る操作が検知されると、前記注視点を消去する前記更新情報を生成する、
請求項２に記載の送信装置。
　【請求項４】
　前記更新情報生成部は、前記コンテンツの再生開始から所定時間経過後に前記注視点を更新する前記更新情報を生成する、
請求項２に記載の送信装置。
　【請求項５】
　前記注視点の上又は近傍に表示させる付加情報を生成する付加情報生成部、
をさらに備え、
　前記送信部は、前記付加情報をさらに送信する、
請求項１に記載の送信装置。
　【請求項６】
　表示される前記コンテンツ上で指定される特定の点からのフリック操作が検出されると、
　前記注視点情報生成部は、前記特定の点を前記注視点とする前記注視点情報を生成し、
　前記送信部は、前記フリック操作に応じて、前記注視点情報と、前記コンテンツ又は前記コンテンツを取得するための情報と、を送信する、
請求項１に記載の送信装置。
　【請求項７】
　前記送信装置の筐体の傾きを検出する傾き検出部、
をさらに備え、
　前記送信部は、前記筐体の傾きが検出されると、前記注視点情報と、前記コンテンツ又は前記コンテンツを取得するための情報と、を送信する、
請求項１に記載の送信装置。
　【請求項８】
　前記オブジェクトは動画像オブジェクトであり、
　前記注視点情報生成部は、経時的に変化する前記注視点の位置を示す前記注視点情報を生成する、
請求項１に記載の送信装置。
　【請求項９】
　複数のオブジェクトを含むコンテンツと、前記コンテンツ内における注視点の位置を示し、前記注視点の位置に表示されているオブジェクトを特定する情報及び当該オブジェクト内における前記注視点の相対位置の情報を含む注視点情報と、を受信する受信部と、
　前記注視点情報に従って、前記コンテンツと共に、前記オブジェクトを特定する情報と前記オブジェクト内における前記注視点の相対位置の情報とにより決定される位置に前記注視点を表示させる表示制御部と、
を備える、表示制御装置。
　【請求項１０】
　前記表示制御部は、前記注視点が表示画面内に表示されるように前記コンテンツを表示させる、
請求項９に記載の表示制御装置。
　【請求項１１】
　前記表示制御部は、前記注視点が前記表示画面の中心となるように前記コンテンツを表示させる、
請求項１０に記載の表示制御装置。
　【請求項１２】
　前記表示制御部は、前記コンテンツの表示領域を変更するスクロール操作に応じて、前記注視点が前記オブジェクト上となるように、前記注視点の表示画面上の位置を変更する、
請求項９に記載の表示制御装置。
　【請求項１３】
　前記受信部は、前記注視点に対する付加情報をさらに受信し、
　前記表示制御部は、前記注視点の上又は近傍に前記付加情報を重畳して表示させる、
請求項９に記載の表示制御装置。
　【請求項１４】
　前記受信部は、前記注視点情報に対する更新情報をさらに受信し、
　前記表示制御部は、前記更新情報に基づいて前記注視点情報を更新する、
請求項９に記載の表示制御装置。
　【請求項１５】
　前記更新情報は、前記コンテンツの表示開始から前記注視点を消去するまでの時間の情報を含み、
　前記表示制御部は、前記更新情報に従って、所定時間経過後に前記注視点を消去する、
請求項１４に記載の表示制御装置。
　【請求項１６】
　演算装置が、
　複数のオブジェクトを含むコンテンツ内における注視点の位置を示す注視点情報を、前記注視点の位置に表示されているオブジェクトを特定する情報と、当該オブジェクト内における前記注視点の相対位置の情報とを含めて生成することと、
　前記注視点情報と、前記コンテンツ又は前記コンテンツを取得するための情報と、を送信することと、
を含む、コンテンツ送信方法。
　【請求項１７】
　コンピュータを、
　複数のオブジェクトを含むコンテンツ内における注視点の位置を示す注視点情報を、前記注視点の位置に表示されているオブジェクトを特定する情報と、当該オブジェクト内における前記注視点の相対位置の情報とを含めて生成する注視点情報生成部と、
　前記注視点情報と、前記コンテンツ又は前記コンテンツを取得するための情報と、を送信する送信部と、
を備える、送信装置として機能させるためのプログラムを記録した記録媒体。
　【請求項１８】
　コンピュータを、
　複数のオブジェクトを含むコンテンツ内における注視点の位置を示す注視点情報を、前記注視点の位置に表示されているオブジェクトを特定する情報と、当該オブジェクト内における前記注視点の相対位置の情報とを含めて生成する注視点情報生成部と、
　前記注視点情報と、前記コンテンツ又は前記コンテンツを取得するための情報と、を送信する送信部と、
を備える、送信装置として機能させるためのプログラム。
第５　引用文献、引用発明等
１．引用文献１について
　原査定の拒絶の理由に引用された引用文献１には、図面とともに次の事項が記載されている。
「【０５９８】
　（Ｗｅｂページの共有）
　次に、本実施形態において、送信側および受信側の両方の多機能テレビ１０Ｔが、インターネット接続が可能となっているとともに、Ｗｅｂ(World Wide Web)ブラウザの機能を有しており、送信側および受信側で共有される画像が、Ｗｅｂページの画像である実施例を示す。この実施例では、送信側と受信側とで同じＷｅｂページを表示した状態で、ポインティング動作を行いながらテレビ電話によって会話をするというような利用形態が想定される。このような利用形態によれば、例えば、図２９に示すように、
ネットワーク上にあるおもちゃ屋さんのサイトのＷｅｂページを表示し、表示されているおもちゃの画像のうちあるおもちゃに対して目印２２１をつけて相手に指し示し、
【０５９９】
　このとき問題になるのは、送信側の多機能テレビ１０Ｔにおいて表示されているＷｅｂページと、受信側の多機能テレビ１０Ｔにおいて選択されている表示されているＷｅｂページとが異なる場合である。この場合には、目印情報の送受信が行われたとしても、送信側と受信側とで目印によって指し示されているものが異なることになるので、目印情報の送受信は無意味なものとなる。
【０６００】
　このような状況を防ぐために、
送信側の多機能テレビ１０Ｔは、
現在表示しているＷｅｂページを指定するアドレス情報を受信側の多機能テレビ１０Ｔに送信する。
【０６０１】
　ここで、送信側の多機能テレビ１０Ｔおよび受信側の多機能テレビ１０Ｔにおける処理の流れについて、図３０（ａ）および図３０（ｂ）を参照しながら以下に説明する。同図（ａ）は、送信側の多機能テレビ１０Ｔにおける処理の流れ、同図（ｂ）は、受信側の多機能テレビ１０Ｔにおける処理の流れを示している。
【０６０２】
　まず、送信側の多機能テレビ１０Ｔにおける処理について、図３０（ａ）を参照しながら説明する。なお、以下の処理に先立って、送信側の多機能テレビ１０Ｔと受信側の多機能テレビ１０Ｔとの間で、テレビ電話機能または音声電話機能によって通信が確立している状態であるものとする。
【０６０３】
　Ｓ２０２１では、利用者によって入力部５におけるコンテンツ共有ボタン２１２が押されることにより、コンテンツ共有の開始指示が受信側の多機能テレビ１０Ｔに送信される。これにより、受信側の多機能テレビ１０Ｔは、コンテンツ共有の待機状態に移行する。
【０６０４】
　次にＳ２０２２において、自装置において、現時点でネットワークコンテンツ受信部２０４のＷｅｂブラウジング機能によって表示しているＷｅｂページのアドレス（ＵＲＬ（Uniform Resource Locator））がネットワークコンテンツ受信部２０４によって取得される。なお、ここでは、テレビ電話機能を利用しながら、同時にＷｅｂページの閲覧を行っていることを想定している。この場合、テレビ電話による映像とＷｅｂページの映像とを、マルチ画面形式で表示部４に表示してもよいし、表示内容切り替えボタン２１１によって切り替えながら表示してもよい。
【０６０５】
　次にＳ２０２３において、ネットワークコンテンツ受信部２０４によって取得されたＵＲＬ情報が通信制御部１３に伝送され、通信制御部１３の制御に基づいて
通信部７からＵＲＬ情報が受信側の多機能テレビ１０Ｔに送信される。
【０６０６】
　その後、表示部４に目印が表示され、入力部４からの入力動作に応じて、目印情報移動制御部１４によって、前記したような目印の位置指定動作、種類指定動作、形状指定動作などが行われる。そして、これらの動作に基づいて、
目印情報作成部１１によって目印情報が生成される
【０６０７】
　なお、テレビ電話による映像とＷｅｂページの映像とを、マルチ画面形式で表示部４に表示している場合には、
目印の位置情報は、Ｗｅｂページの映像が表示される領域内での相対位置情報として、受信側の多機能テレビ１０Ｔに送信されることになる。
【０６０８】
　次にＳ２０２５において、
目印情報作成部１１によって作成された目印情報が、
通信部７から受信側の多機能テレビ１０Ｔに送信される。
「【図２９】
」
　したがって、上記引用文献１には次の発明（以下、「引用発明」という。）が記載されている。
「複数のおもちゃの画像を含むおもちゃ屋さんのサイトのＷｅｂページにおけるＷｅｂページの映像が表示される領域内での相対位置情報である目印の位置情報を生成する目印情報作成部と、
　目印の位置情報と、現在表示しているＷｅｂページを指定するアドレス情報と、を送信する通信部と、
を備える送信側の多機能テレビ。」
２．引用文献２について
　原査定の拒絶の理由に引用された引用文献２には、図面とともに次の事項が記載されている。
「【００３６】本説明において、携帯機器２００はネットワーク４００を介して通信可能な状態となっており、表示装置３００も同様に、ネットワーク４００を介して通信可能な状態となっているものとする。また、携帯機器２００の表示デバイス２０３は、プレゼンテーション資料をグラフィックスで表示するには小さく、資料に関する情報をテキストで表示するものとし、表示装置３００は、資料をグラフィックスで表示可能とする。
【００３７】図５を参照するに、まずユーザが携帯機器２００で資料リストを要求すると、携帯機器２００は資料リスト要求を送信する（ステップＳ１）。
【００３８】情報サーバ１００は、携帯機器２００からの資料リスト要求を受信すると（ステップＳ２）、資料リストを送信する（ステップＳ３）。ここで、情報サーバ１００が管理する資料リストは、図６に示すように、資料番号とオブジェクト・テーブル（後述）へのポインタとの組のリストとから構成される。上記資料リストを送信する際、情報サーバ１００は、資料リスト要求が携帯機器２００からの要求であることを判別して、テキストデータからなる資料リストを送信する。
【００３９】携帯機器２００は資料リストを受信すると（ステップＳ４）、受信した資料リストを表示デバイス２０３に表示する（ステップＳ５）。
【００４０】次に、ユーザが携帯機器２００に表示された資料リストを見て、表示したい資料を選択すると、携帯機器２００は、選択された資料に関する情報、例えば、資料番号などを送信する（ステップＳ６）。
【００４１】情報サーバ１００は、資料情報を受信すると（ステップＳ７）、受信した資料情報に対応する資料を資料データ格納部１０２から読み込み（ステップＳ８）、資料を構成するオブジェクトを抽出する（ステップＳ９）。ここで、資料を構成するオブジェクトとは、資料を表示したときに描画される文字列、グラフィックス（線、矩形など）、貼り付けられた画像のことであり、各オブジェクトの位置、サイズが抽出される。
【００４２】
情報サーバ１００は、
オブジェクト・テーブルを生成する
表示位置
表示位置およびサイズ
オブジェクト名称
オブジェクト名称
【００４３】次に、
情報サーバ１００は、
生成したオブジェクト・テーブルを参照して、オブジェクト構成情報を生成し、それを携帯機器２００に送信する
【００４４】
携帯機器２００がオブジェクト構成情報を受信すると
携帯機器２００は、その情報を表示デバイス２０３に表示する
【００４５】上記ステップＳ１１で
オブジェクト構成情報を送信した情報サーバ１００は、次に、グラフィックス表示のための画面データを生成する
生成する画面データは、
グラフィックス情報となり、
ビットマップ情報となる。
情報サーバ１００は、生成したグラフィックス画面データを送信する
【００４６】表示装置３００は、グラフィックス画面データを受信し（ステップＳ１６）、受信したデータに基づいて画面を表示（投影）する（ステップＳ１７）。
【００４７】次に、本実施の形態の情報協調システムにおいて、ポインタ表示モードのときの動作について図８ないし図１０を参照しながら説明する。図８は図１の情報協調システムにおけるポインタ表示モードのときの動作手順を示すフローチャート、図９は図１の携帯機器２００の画面例を示す図、図１０は図１の表示装置３００の画面例を示す図である。
【００４８】本実施の形態の情報システムにおいては、ポインタ表示モードの設定および解除が可能である。ポインタ表示モードを設定した場合、
携帯機器２００では、選択したオブジェクトが反転表示され、表示装置３００では、携帯機器２００で選択されたオブジェクトに対応する位置にポインタが重畳して表示される。
【００４９】ここで、携帯機器においては、図９に示すような画面が表示される。図９（ａ）は、情報サーバ１００から資料データを受信して、その内容を表示する画面を示す。図９（ｂ）は、ポインタ表示モードを設定したときの画面を示しており、画面右上には、ポインタ表示モードの設定を表すマーク（黒い四角）６０１が表示されている。図９（ｃ）は、図９（ｂ）に示す画面において、
ユーザがオブジェクトを選択したときの様子を示しており、選択したオブジェクトの部分が反転表示されている。
【００５０】ユーザがポインタ表示モードになっている携帯機器２００を操作して、ポインティングしたいオブジェクトを選択すると、図８に示すように、
選択されたオブジェクトに対応するオブジェクト番号を送信する
【００５１】情報サーバ１００は、
上記オブジェクト番号を受信すると
受信したオブジェクト番号に対応するオブジェクトのポインタ表示位置を算出する
オブジェクトの中心をポインタ表示位置とし、表示位置（Ｘ，Ｙ）、サイズ（Ｗ，Ｈ）の場合、（Ｘ＋Ｗ／２，Ｙ＋Ｈ／２）となる。
【００５２】次いで、情報サーバ１００は、
グラフィックス表示のための画面データを生成する
ここで生成する画面データは、
グラフィックス情報となり、
ビットマップ情報となる。
生成した画面データにおける上記ステップＳ２２で算出したポインタ表示位置にポインタ画像が重畳される
情報サーバ１００は、上記ステップＳ２４で作成した画面データを送信する
【００５３】
表示装置３００は、画面データを受信し
受信したデータにもとづいて画面を表示（投影）する
このとき、携帯機器２００でユーザが選択したオブジェクトにポインタが表示される。
【００５４】このように、本実施の形態では、情報サーバ１００にある資料データを、携帯機器２００および表示装置３００に適した形式に変換して送信するので、
異なる端末（携帯機器２００、表示装置３００）間での協調動作を可能にし
「
」
　したがって、上記引用文献２には次の技術が記載されている。
「オブジェクト番号、表示位置、サイズ、オブジェクト名称から成るオブジェクト・テーブルを参照して生成されたオブジェクト構成情報を情報サーバから受信すると、表示デバイスに表示し、ユーザがオブジェクトを選択すると、選択したオブジェクトの部分が反転表示され、選択されたオブジェクトに対応するオブジェクト番号を情報サーバに送信する携帯機器、
　オブジェクト構成情報を生成し、携帯機器に送信し、携帯機器からオブジェクト番号を受信すると、オブジェクト番号に対応するオブジェクトのポインタ表示位置を、オブジェクトの中心、すなわち、表示位置（Ｘ，Ｙ）、サイズ（Ｗ，Ｈ）の場合、（Ｘ＋Ｗ／２，Ｙ＋Ｈ／２）となるように算出し、グラフィックス情報もしくはビットマップ情報である画面データを生成し、ポインタ表示位置にポインタ画像を重畳し、作成した画面データを表示装置に送信する情報サーバ、
　情報サーバから画面データを受信し、受信したデータにもとづいて画面を表示することにより、携帯機器でユーザが選択したオブジェクトにポインタが表示される表示装置
　からなる、携帯機器、表示装置間での協調動作を可能にする技術。」
第６　対比・判断
１．本願発明１について
（１）対比
　本願発明１と引用発明とを対比すると、以下のことがいえる。
ア　引用発明における「おもちゃの画像」、「おもちゃ屋さんのサイトのＷｅｂページ」、「目印情報作成部」、「通信部」、「送信側の多機能テレビ」は、本願発明１における「オブジェクト」、「コンテンツ」、「注視点情報生成部」、「送信部」、「送信装置」に相当する。
イ　引用発明における「相対位置情報である目印の位置情報を生成する」ことと、本願発明１の「注視点の位置を示す注視点情報を、前記注視点の位置に表示されているオブジェクトを特定する情報と、当該オブジェクト内における前記注視点の相対位置の情報とを含めて生成する」ことは、「注視点の位置を示す注視点情報を、前記注視点の相対位置の情報を含めて生成する」という点で共通する。
ウ　引用発明における「現在表示しているＷｅｂページを指定するアドレス情報」は、Ｗｅｂページを取得するための情報であるから、本願発明１の「コンテンツを取得するための情報」に相当する。
　したがって、本願発明１と引用発明は、以下の一致点、相違点がある。
（一致点）
　複数のオブジェクトを含むコンテンツ内における注視点の位置を示す注視点情報を、前記注視点の相対位置の情報を含めて生成する注視点情報生成部と、
　前記注視点情報と、前記コンテンツ又は前記コンテンツを取得するための情報と、を送信する送信部と、
を備える、送信装置。
（相違点）
　注視点情報に関して、本願発明１は、「前記注視点の位置に表示されているオブジェクトを特定する情報と、当該オブジェクト内における前記注視点の相対位置の情報とを含めて生成する」のに対し、引用発明は、「Ｗｅｂページの映像が表示される領域内での相対位置情報」であり、「前記注視点の位置に表示されているオブジェクトを特定する情報」を含むものでなく、「当該オブジェクト内における前記注視点の相対位置の情報」でない点。
（２）相違点についての判断
　上記相違点について検討する。
　第５の「２．引用文献２について」に記載のとおり、引用文献２には、
「オブジェクト番号、表示位置、サイズ、オブジェクト名称から成るオブジェクト・テーブルを参照して生成されたオブジェクト構成情報を情報サーバから受信すると、表示デバイスに表示し、ユーザがオブジェクトを選択すると、選択したオブジェクトの部分が反転表示され、選択されたオブジェクトに対応するオブジェクト番号を情報サーバに送信する携帯機器、
　オブジェクト構成情報を生成し、携帯機器に送信し、携帯機器からオブジェクト番号を受信すると、オブジェクト番号に対応するオブジェクトのポインタ表示位置を、オブジェクトの中心、すなわち、表示位置（Ｘ，Ｙ）、サイズ（Ｗ，Ｈ）の場合、（Ｘ＋Ｗ／２，Ｙ＋Ｈ／２）となるように算出し、グラフィックス情報もしくはビットマップ情報である画面データを生成し、ポインタ表示位置にポインタ画像を重畳し、作成した画面データを表示装置に送信する情報サーバ、
　情報サーバから画面データを受信し、受信したデータにもとづいて画面を表示することにより、携帯機器でユーザが選択したオブジェクトにポインタが表示される表示装置
　からなる、携帯機器、表示装置間での協調動作を可能にする技術。」
が記載されている。
　引用文献２に記載された技術において、携帯機器から送信される「選択されたオブジェクトに対応するオブジェクト番号」は、オブジェクトを特定する情報といえる。
　しかし、携帯機器は、「オブジェクト番号」を送信するのみであり、本願発明１のように、「当該オブジェクト内における前記注視点の相対位置の情報」を含めて送信するものでない。
　また、前置報告書において、周知技術として提示されたKaj Groenbaek et al.、Webvise: browser and proxy support for open hypermedia structuring mechanisms on the World Wide Web、Computer Networks、Volume 31, Issues 11-16、Pages 1331-1345をみても、上記相違点に係る構成を見いだすことはできない。
　
　そして、本願発明１は、上記相違点に係る構成を有することにより、本願明細書の段落０００６に記載されたような「送信装置のユーザが、受信する側のユーザに対してコンテンツ中の特に注視しているポイントを共有したい場面に好適である」という各引用文献から予測できない効果を有しているものである。
　したがって、本願発明１は、当業者であっても引用発明、引用文献２に記載された技術及び周知技術に基づいて容易に発明できたものであるとはいえない。
　また、審判請求時の補正により、拒絶査定時に付記として記載した、特許法第３６条第６項第２号に規定する要件を満たしていないとの判断を維持することはできない。
２．本願発明２〜本願発明８について
　本願発明２〜本願発明８は、本願発明１を直接的もしくは間接的に引用する発明であり、上記１．で検討した相違点に係る構成を有しているものであるから、本願発明１と同様に、当業者であっても引用発明、引用文献２に記載された技術及び周知技術に基づいて容易に発明できたものであるとはいえない。
　また、審判請求時の補正により、拒絶査定時に付記として記載した、特許法第３６条第６項第２号に規定する要件を満たしていないとの判断を維持することはできない。
３．本願発明９〜本願発明１５について
　本願発明９は、本願発明１に対応する表示制御装置の発明であり、また、本願発明１０〜本願発明１５は、本願発明９を直接的もしくは間接的に引用する発明であるから、本願発明１と同様に、当業者であっても引用発明、引用文献２に記載された技術及び周知技術に基づいて容易に発明できたものであるとはいえない。
　また、審判請求時の補正により、拒絶査定時に付記として記載した、特許法第３６条第６項第２号に規定する要件を満たしていないとの判断を維持することはできない。
４．本願発明１６、本願発明１７、本願発明１８について
　本願発明１６、本願発明１７、本願発明１８は、それぞれ、本願発明１に対応する方法、記録媒体、プログラムの発明であり、本願発明１と同様に、当業者であっても引用発明、引用文献２に記載された技術及び周知技術に基づいて容易に発明できたものであるとはいえない。
　また、審判請求時の補正により、拒絶査定時に付記として記載した、特許法第３６条第６項第２号に規定する要件を満たしていないとの判断を維持することはできない。
第７　むすび
　以上のとおり、原査定の理由によっては、本願を拒絶することはできない。
　また、他に本願を拒絶すべき理由を発見しない。
　よって、結論のとおり審決する。